(57)【要約】ボックス（15）は、底部パネル、対向する側面パネル、正面パネル、上部パネル、及び背面パネルを含み、これらは前記ボックスの内部空間を画定する。前記ボックスは、展示用開口（70）及び上端を有する逆折りパネル（30）を備える。前記逆折りパネルは、前記逆折りパネルが曲げられていない位置にあるとき、前記正面パネルと同一平面の第一の区画（30l）と、前記側面パネルと同一平面の第二の区画（30r）を含んでもよい。曲げられていない位置においては、垂直の通路（55）は、前記逆折りパネル（30）の背後かつ前記上部パネル（45）の前面に形成される。伸延支持体から下垂する本体を有する品物は、前記垂直の通路（55）内に前記支持体を配置して前記本体を前記展示用開口に位置付けることによって、前記ボックスの内部に梱包される。前記品物及び／又は前記逆折りパネルに力を付与することによって、前記逆折りパネルは第二の位置に移動され、前記品物が前記ボックスの前記内部空間に収納される。
2005505475.tif 000002
【特許請求の範囲】
【請求項１】
製品収納用及び展示用のボックスであって、
底部パネル、第一の側面パネル、第二の側面パネル、正面パネル、上部パネル、背面パネル、周縁を有する展示用開口及び逆折りパネルを含み、
前記底部パネル、前記第一の側面パネル、前記第二の側面パネル、前記正面パネル、前記上部パネル及び前記背面パネルが前記ボックスの内部空間を画定し、
前記第一の側面パネル、前記第二の側面パネル、前記正面パネル及び前記背面パネルが、各下端で前記底部パネルに対して接続され、
前記第一の側面パネル、前記第二の側面パネル、前記正面パネル及び前記背面パネルが各上端で前記上部パネルに対して接続され、
前記第一の側面パネル及び前記第二の側面パネルが各正面端で前記正面パネルに接続され、
前記第一の側面パネル及び前記第二の側面パネルが各背面端で前記背面パネルに接続され、
前記展示用開口が前記第一の側面パネルの少なくとも一部分及び前記正面パネルの少なくとも一部分の間に形成され、
前記逆折りパネルが上端、底端、及び対向する側端を含み、前記逆折りパネルは前記展示用開口の上に位置して、前記逆折りパネルの前記上部端の大部分は前記ボックスのいずれのパネルにも接続されず、前記逆折りパネルの前記底部端の大部分は前記ボックスのいずれのパネルにも接続されず、前記逆折りパネルが、第一の位置及び前記第一の位置より前記ボックスの前記内部空間の中央部分に近い第二の位置間で移動され得るように、前記逆折りパネルの一つの側端が前記正面パネルに接続され、前記逆折りパネルのもう一つの側端が前記第一の側面パネルに接続される、製品収納用及び展示用のボックス。
【請求項２】
前記逆折りパネルの前記底端から下方向に延出する少なくとも一つのタブを含む、請求項１に記載のボックス。
【請求項３】
前記逆折りパネルの前記底端から下方向に延出する一対のタブを含む、請求項１に記載のボックス。
【請求項４】
前記逆折りパネルの前記上端が下方向に延びる切り欠き部を含む、請求項１に記載のボックス。
【請求項５】
前記逆折りパネルが前記第一の位置及び前記第二の位置間で移動されるとき、前記逆折りパネルは前記逆折りパネルの前記対向する側端の中間の長手方向の折目に沿って折り曲げることができる、請求項１に記載のボックス。
【請求項６】
前記逆折りパネルが第一の区画及び第二の区画を含み、前記逆折りパネルが前記第一の位置にあるとき、前記第一の区画が前記正面パネルと略同一平面であって、前記第二の区画が前記第一の側面パネルと略同一平面である、請求項１に記載のボックス。
【請求項７】
前記逆折りパネルが第一の位置にあるとき、垂直の通路が前記逆折りパネルの後に形成されるように前記上部パネルが寸法取りされる、請求項１に記載のボックス。
【請求項８】
前記逆折りパネルが第二の位置にあるとき、垂直の通路が前記逆折りパネルの後に形成されないように前記上部パネルが寸法取りされる、請求項７に記載のボックス。
【請求項９】
請求項１に記載のボックスを形成するための単一の生地。
【請求項１０】
請求項１に記載のボックス、及び
移動可能な伸延支持部と本体とを有する品物を含み、
前記伸延支持部が前記逆折りパネルの前記上端の上に位置するか又は載置されて、
前記品物が前記ボックスの前記内部空間に収納されて、前記品物の前記本体の少なくとも一部分が前記展示用開口を通じて展示される、箱詰めされた品物。
【請求項１１】
前記逆折りパネルの前記上端が下方向に延びる切り欠き部を含んで、前記伸延支持部が前記切り欠き部に載置される、請求項１０に記載の箱詰めされた品物。
【請求項１２】
前記本体が前記移動可能な伸延支持部から下垂する、請求項１０に記載の箱詰めされた品物。
【請求項１３】
前記逆折りパネルが前記底端から延出する少なくとも一つのタブを含み、
各タブは前記品物の前記本体の上部に接触する、
請求項１０に記載の箱詰めされた品物。
【請求項１４】
前記品物の前記本体がランプであり、前記支持部がハンガー支持部である、請求項１０に記載の箱詰めされた品物。
【請求項１５】
本体及び移動可能な伸延支持部を有する品物を、前記品物の前記本体が展示されるようにボックスに梱包する方法であって、
底部パネル、第一の側面パネル、第二の側面パネル、正面パネル、上部パネル、背面パネル、周縁を有する展示用開口及び逆折りパネルを含み、
前記底部パネル、前記第一の側面パネル、前記第二の側面パネル、前記正面パネル、前記上部パネル及び前記背面パネルによって前記ボックスの内部空間が画定され、
前記第一の側面パネル、前記第二の側面パネル、前記正面パネル、及び前記背面パネルが各下端において前記底部パネルに対して接続され、
前記第一の側面パネル、前記第二の側面パネル、前記正面パネル、及び前記背面パネルが各上端において前記上部パネルに対して接続され、
前記第一の側面パネル及び前記第二の側面パネルが各正面端において前記正面パネルに接続され、
前記第一の側面パネル及び前記第二の側面パネルが各背面端において前記背面パネルに接続され、
前記第一の側面パネルの少なくとも一部分及び前記正面パネルの少なくとも一部分に、前記展示用開口が形成され、
前記逆折りパネルが上端、底端及び対向する側端を含み、前記逆折りパネルが前記展示用開口の上に位置し、前記逆折りパネルの前記上端の大部分は前記ボックスのいずれのパネルにも接続されず、前記逆折りパネルの前記底端の大部分は前記ボックスのいずれのパネルにも接続されず、
前記逆折りパネルが第一の位置及び第二の位置間で移動できるように、前記逆折りパネルの一つの側端は前記正面パネルに接続され、前記逆折りパネルの前記もう一つの側端部は前記第一の側面パネルに接続され、前記第二の位置は、前記第一の位置よりも前記ボックスの前記内部空間の中央部分により近く、前記逆折りパネルは初期においては前記第一の位置にあり、前記逆折りパネルが前記第一の位置にあるとき、前記上部パネルは、垂直の通路が前記逆折りパネルの後に形成されるように寸法取りされるボックスを提供するステップと、
本体及び移動可能な伸延支持部を有する品物を提供するステップと、
前記伸延支持部の一部分が前記逆折りパネルの前記上端部の上に位置するか又は載置されるように、前記伸延支持部を前記垂直の通路内に配置するステップと、
前記品物の前記本体を前記ボックスの前記展示用開口に配置するステップと、
前記品物及び／又は前記逆折りパネルに対して力を付与することによって前記逆折りパネルが前記第二の位置に移動されて前記品物が前記ボックスの前記内部空間に収納されるステップと、
を含む、前記方法。
【請求項１６】
前記逆折りパネルの前記上端が下方向に延びる切り欠き部を含み、
前記伸延支持部が前記垂直の通路内へと配置されるとき、前記伸延支持部が前記切り欠き部上に載置される、前記請求項１５に記載の方法。
【請求項１７】
前記逆折りパネルが前記底端から下方向に延出する少なくとも一つのタブを含み、
前記品物が前記ボックスの前記内部空間の内部に収納されるときに、各タブが前記品物の前記本体の上部分に接触する、
請求項１５に記載の方法。
【請求項１８】
前記本体が、前記移動可能な伸延支持部から吊り下がる、請求項１５に記載の方法。
【請求項１９】
前記品物の前記本体がランプであって、前記支持部がハンガー支持部である、請求項１５に記載の方法。
【発明の詳細な説明】
【技術分野】
【０００１】
本発明は、小売店で販売されるランプのような製品の展示に用いられるボックスに関し、より詳細には、製品梱包の場において費用節減効果のある製品梱包工程を提供するように構成される展示用ボックスに関する。
【背景技術】
【０００２】
ランプ等のような小売用製品は製造された後、通常は収納用、運送用のボックスに梱包され、好ましくは小売される場所で展示するためのボックスに梱包される。小売業者はしばしばこのような製品の外観が見込み客の目に触れるように展示したがる。製造者は自社製品を魅力的に見せるボックスの提供に興味を持つ一方、製造又は流通現場において展示用ボックスへ製品を収納する際に発生する作業費用を憂慮する。製品展示に最適な特性を備えるボックスが、製造又は流通現場において費用節減効果の高い梱包方法を提供するとはかぎらない。
【発明の開示】
【発明が解決しようとする課題】
【０００３】
したがって、改善された製品展示特性を有し、費用節減効果の高い梱包工程を用いて製造現場で製品を収納するように構成された製品展示用ボックスに対する要求は、継続して存在する。
【課題を解決するための手段】
【０００４】
前掲の要求は本発明に基づくボックスによって満たされ、このボックスは、底部パネル、第一の側面パネル、第二の側面パネル、正面パネル、上部パネル、背面パネル、周縁を有する展示用開口及び逆折りパネル（invertible panel）を含む。底部パネル、第一の側面パネル、第二の側面パネル、正面パネル、上部パネル及び背面パネルがボックスの内部空間を画定する。第一の側面パネル、第二の側面パネル、正面パネル及び背面パネルは、各下端部で底部パネルに折りたたみ可能に接続され、各上端部で上部パネルに折りたたみ可能に接続される。第一の側面パネル及び第二の側面パネルは、各正面端部で正面パネルに折りたたみ可能に接続され、各背面端部で背面パネルに折りたたみ可能に接続される。展示用開口は、第一の側面パネルの少なくとも一部分及び正面パネルの少なくとも一部分の間において形成される。
【０００５】
ボックスの逆折りパネルは、上端、底端及び対向する側端を含み、展示用開口の上に位置する。逆折りパネルの上端の大部分はボックスのパネルのいずれにも接続されず、逆折りパネルの底端の大部分はボックスのパネルのいずれにも接続されない。逆折りパネルの一つの側端は、正面パネルに折りたたみ可能に接続され、逆折りパネルのもう一つの側端は、第一の側面パネルに折りたたみ可能に接続されて、逆折りパネルが第一の位置及び、第一の位置よりもボックスの内部空間の中央部分により近い第二の位置間で移動できるようにする。
【０００６】
ボックスの一つの形態においては、逆折りパネルは第一の区画及び第二の区画を含み、逆折りパネルが第一の位置にあるとき、この第一の区画は正面パネルと略同一平面であり、第二の区画は第一の側面パネルと略同一平面である。この形態において上部パネルは、逆折りパネルが第一の位置にあるときに、垂直の通路が逆折りパネルの裏に形成されるように寸法取りされる。このようなボックスの形態によって、製造現場で費用節減効果に優れた梱包工程を用いた製品収納が可能になる。特に、製品を梱包する人間には、この形態のボックスと、本体及び移動可能な伸延支持部を有する製品とが提供される。伸延支持部は、伸延支持部の一部が逆折りパネルの上端の上に位置するか、又は上端に載置されるように、垂直な通路に配置される。次に、製品の本体がボックスの展示用開口に配置される。次に、本体及び／又は逆折りパネルに力が付加されて、逆折りパネルが第二の位置に移動されると、製品はボックスの内部空間に収納される。
【０００７】
したがって、見込み客に製品の外観が見えるように小売業者が製品を展示できるボックスを提供できるのが、本発明の有利な点である。
【０００８】
改善された製品展示特性を有し、費用節減効果の高い梱包工程を用いて製造現場で製品を収納するように構成されたボックスを提供できるのが、本発明のさらに有利な点である。
【０００９】
これらの点とその他の特徴及び本発明の有利な点は、以下の詳細な説明、図面、及び付属の請求項を検討することによって、さらによく理解されるだろう。
これらの図面は必ずしも一定の縮尺で描かれたものではなく、実施例が時折、図形シンボル、点線、ダイヤグラム的な表現及び断片的な図面によって図示されることは理解されべきである。ある例においては、本発明の理解には必ずしも必要ではなく、他の箇所の理解を困難にする詳細については省略されている。さらに、本発明は本明細書中に図示される特定の実施例に限定されるものではないことは理解されるべきである。
同じ参照番号は、図面の以下に続く説明において、図面間で同一又は類似の部品を参照するために用いられる。
【発明を実施するための最良の形態】
【００１０】
図１（Ａ）を参照すると、本発明に基づく展示用ボックスは、全体的に１０として示されるボックス材料の単一の平坦な長方形の生地から形成することができる。ボックス材料は、ボール紙、波状の板紙、補強プラスチックシート又は他の通常のボックス材料のいずれであってもよい。生地１０は、単一の型を用い、鋭利な刃の端縁で図１（Ａ）にて実線で示されるようにボックス材料を切断し、ボックス材料にプレスする非鋭利な端縁で図１（Ａ）にて破線で示されるように折目を形成することによって、形成されてよい。図１（Ａ）或いは他の図面のいずれかに記された折目はいずれも単一の折目乃至一つ以上の折目と一つ以上の切り込みとの組み合わせであってよい。次に、生地１０は折目に沿って折りたたまれ、生地１０の選択されたフラップは、糊付け又はホッチキス止めのような従来的な手段によって選択されたパネルに対して固定されて、展示用ボックスが形成される。
【００１１】
生地１０は、正面パネル２０、右パネル４０、左パネル６０、背面パネル８０、底部パネル４２及び上部パネル４５を含む。生地１０から本発明に基づく展示用ボックスが組み立てられるときに、正面パネル２０、右パネル４０、左パネル６０、背面パネル８０、底部パネル４２及び上部パネル４５は、展示用ボックスの正面、右、左、背面、底部及び上部の側面を形成する。生地のパネル又は展示用ボックスの側面を説明する際、用語「正面」「右」「左」「背面」「底部」及び「上部」は便宜上用いられているのであって、展示用ボックスの正面を観察者に向けて配置しなければならないという意味ではないことは理解されるべきである。しかしながら、展示用ボックスの一例示的な使用においては、展示用ボックスに対面した観察者は、ボックスの底部パネルが、典型的には展示面上に載置されているボックスの正面パネルを見ることになる。加えて、用語「略」がこの明細書中でフラップ又はパネルに関連して用いられるとき、用語「略」は、フラップ又はパネルが、角とり又は面取りによって形成される一般的な幾何学的な形状から僅かに相違してもよいことを意味する。
【００１２】
正面パネル２０は、折目６３によって左パネル６０に対し開閉し、折目２７によって右パネル４０に対し開閉する。右パネル４０は、折目４６によって背面パネル８０に対し開閉する。略台形である上部パネル４５は折目４４によって右パネル４０に対し開閉し、略長方形の底部パネル４２は折目４１によって右パネル４０に対し開閉する。上部パネル４５の周縁は端部４５ａ、４５ｂ、４５ｃ及び４５ｄによって形成され、端部４５ａ、４５ｂ、４５ｃ及び４５ｄのいずれの交差点において面取り又は角とりを有してもよい。底部パネル４２の周縁は端部４２ａ、４２ｂ、４２ｃ及び４２ｄによって形成され、端部４２ａ、４２ｂ、４２ｃ及び４２ｄのいずれの交差点においても面取り又は角とりを含むものであってもよい。
【００１３】
組み立てフラップ８２、２２、６４、６６、２５及び８５は、本発明に基づく展示用ボックスが組み立てられるように計算された位置で生地周りに配置される。略台形の組み立てフラップ８２は、折目８１によって背面パネル８０の底部に対し開閉する。略台形の組み立てフラップ２２は、折目２１によって正面パネル２０の底部に対し開閉する。略台形の組み立てフラップ６４は、折目６３によって左パネル６０の側面に対し開閉する。略台形の組み立てフラップ６６は、折目６５によって左パネル８０の上部に対し開閉する。略長方形の組み立てフラップ２５は、折目２４によって正面パネル２０の上部に対し開閉する。略台形の組み立てフラップ８５は、折目８４によって背面パネル８０の上部に対し開閉する。
【００１４】
生地１０は、正面パネル２０及び右パネル４０の間に配置される逆折りパネル３０を含む。逆折りパネル３０の左区画３０ｌは、折目２６によって正面パネル２０に対し開閉し、逆折りパネル３０の右区画３０ｒは、折目４３によって右パネル４０に対し開閉する。逆折りパネル３０の上端は、切り欠き部４９によって離間される上端３９ｌ及び上端３９ｒを含む。逆折りパネル３０の下端は、離間された下端３１及び下端３３を含む。展示用孔７０は、逆折りパネル３０、正面パネル２０の湾曲内側端７２及び右パネル４０の湾曲内側端７３によって生地１０内に画定される。
【００１５】
折目３７によって逆折りパネル３０の左区画３０ｌに対して開閉する左保持タブ３２が、逆折りパネル３０から下方向に延出する。同様に、逆折りパネル３０の右区画３０ｒに折目３８によって開閉する右保持タブ３４が逆折りパネル３０から下方向に延出する。逆折りパネル３０の中心には、切り欠き部４９から折目３７及び折目３８との交点へと走る折目３６がある。逆折りパネル３０の右区画３０ｒは、同様に、逆折りパネル３０の上端３９ｒから折目３８及び逆折りパネル３０の下端３３との交点へと走る折目３５を含む。
【００１６】
図１（Ｂ）を参照すると、本発明に基づく別の展示用ボックスを、全体として１０Ｂとして示されるボックス材料の単一の平坦な長方形の生地から形成することができる。生地１０Ｂは、図１（Ａ）の生地１０の特徴を全て含む。しかしながら、生地１０Ｂは、二つの付加的な組み立てフラップ４７及び４８を含む。組み立てフラップ４７は、折目５７によって上部パネル４５の上部に対し開閉し、組み立てフラップ４８は、折目５８によって底部パネル４２の底部に対し開閉する。
【００１７】
図１（Ａ）の生地１０は、（他の方法の中でも）以下のステップ（順序は変更されてもよい）を用いて図２、３、４、５、６、７、８、９、１０、１１及び１２に示される展示用ボックス１５へと組み立てられる。背面パネル８０は折目４６に沿って９０度後方に（つまり図１（Ａ）の図面の面内へと）折り曲げられ、右パネル４０は折目２７及び３６に沿って９０度後方に（つまり図１（Ａ）の図面の面内へと）折り曲げられる。次に、組み立てフラップ６４は折目６３に沿って９０度後方に（つまり図１（Ａ）の図面の面内へと）折り曲げられる。次に左パネル６０は折目２３に沿って９０度後方に（つまり図１（Ａ）の図面の面内へ）折り曲げられる。次に、組み立てフラップ６４は背面パネル８０の端部８３の近傍で背面パネル８０内部に（糊付けのような方法で）固定されてもよい。
【００１８】
次に、組み立てフラップ６６を折目６５に沿って下方向に９０度折り曲げ、組み立てフラップ２５を折目２４に沿って下方向に９０度折り曲げ、組み立てフラップ８５を折目８４に沿って下方向に９０度折り曲げる。次に、組み立てフラップ６６、２５及び８５の上部表面に糊を塗布し、上部パネル４５を折目４４に沿って下方向に９０度折り曲げて、組み立てフラップ６６、２５及び８５を上部パネル４５の底側表面に対して固定する。次に、組み立てフラップ６２を折目６１に沿って上方向に９０度折り曲げて、組み立てフラップ２２を折目２１に沿って上方向に９０度折り曲げ、さらに組み立てフラップ８２を折目８１に沿って上方向に９０度折り曲げる。次に、組み立てフラップ６２、２２及び８２の底側表面に糊を塗布し、底部パネル４２を折目４１に沿って上方向に９０度折り曲げて、組み立てフラップ６２、２２及び８２の底側表面を底部パネル４２の上側表面に対して固定する。
【００１９】
この組み立て工程の後で、展示用ボックス１５は図６から１２に示されるように構成される。（以下に説明される）梱包工程での次の処理において、逆折りパネル３０は、展示用ボックス１５が図１から図８に示される構成になるように内側方向に押しこまれる。展示用ボックス１５が図１から図８に示される構成を取るためには、逆折りパネルは折目３６に沿って内側方向に折り曲げられ、かつ、折目４３及び２６に沿って内側方向に折り曲げられる。折目２６、３６及び４３に沿った折り目の角度は、逆折りパネル３０の寸法に応じて変化する。同様に左保持タブ３２及び右保持タブ３４も、梱包工程での後続の処理において、折目３７及び２８に沿って各々内側方向に折り曲げられてもよい。
【００２０】
図１（Ｂ）の生地１０Ｂから、図２、３、４、５、６、８、９、１０、１１及び１２に示される展示用ボックス１５に一致するが、図７Ｂの側面図にて示される別の展示用ボックス１５Ｂが組み立てられる。組み立てステップの順序は、上記の展示用ボックス１５の組み立てと同様であるが、（ｉ）組み立てフラップ６６、２５及び８５の上側表面を上部パネル４５の底側表面に固定するときに、組み立てフラップ４７を折目５７に沿って下方向に９０度折り曲げて左パネル６０の上部部分に（例えば糊で）固定する点、及び（ｉｉ）組み立てフラップ６２、２２及び８２の底側表面を底部パネル４２の上側表面に固定するときに、組み立てフラップ４８を折目５８に沿って上方向に９０度折り曲げて左パネル６０の底部に（例えば糊で）固定する点が相違している。組み立てフラップ４７及び４８が各々上部パネル４５及び底部パネル４２上の代替的な位置に配置されて、組み立てフラップ４７及び４８が背面パネル８０の上部及び底部の部分に固定される点が理解されよう。
【００２１】
図２〜１２を参照すると、逆折りパネル３０が、図９にもっとも良く示される第一の（曲げられていない）位置と図２にもっとも良く示される第二の（内側方向に曲げられた）位置との間を移動されるとき、逆折りパネル３０は（対向する側端の間又は逆折りパネル３０の折目２６及び４３の中間であって、好ましくは中央に位置する）折目３６に沿って曲げられてよい。図９を参照すると、逆折りパネル３０が第一の位置にあるとき、逆折りパネル３０の左区画３０ｌは、正面パネル２０と略（つまりほぼ完全に）同一平面上にあり、右区画３０ｒは右パネル４０と略（つまりほぼ完全に）同一平面上にあることがわかる。付け加えれば、上部パネル４５は、垂直の通路５５が逆折りパネル３０の裏及び上部パネル４５の端縁４５ａの前面に形成されるように寸法取りされる。上部パネル４５及び逆折りパネル３０のこの構成によって、逆折りパネル３０が第一の位置にあるとき、細長い物体を垂直の通路５５内へと下方向に挿入することができる。
【００２２】
物体が垂直の通路５５に挿入された後で、逆折りパネルが折目２６、３６及び４３に沿って曲げられるように逆折りパネル３０に押圧力が付与されてもよい。押圧力を付与されることで、逆折りパネル３０は、展示用ボックス１５又は１５Ｂの内部空間の中心部分に対して第一の位置より近い図２に示された第二の位置に配置される。上部パネル４５が第二の位置にあるとき、上部パネル４５は逆折りパネル３０の裏に垂直の通路５５が存在しないように寸法取りされることもわかるであろう。このような上部パネル４５及び逆折りパネル３０の構成によって、逆折りパネル３０及び上部パネル４５は、ボックス１５又は１５Ｂの内部空間内に細長い物体を収納する手段を提供する。
【００２３】
本発明に基づく展示用ボックスの構造の詳細を述べたので、品物の梱包及び展示する際の展示用ボックスの使用が説明されよう。本発明に基づく展示用ボックスの使用法を図示するために、吊り下げ型蚊取りランタン組立体を梱包する工程が図１３から１９に示される。図１８を参照すると、吊り下げ型蚊取りランタン組立体は、多数の細長い円柱部品９３、多数の管状接続スリーブ９４、湾曲伸延ハンガー支持部９２及び接続ハンガー９１を有する揮発物質散布器（又はランプ）９０を含む。ハンガー９１を有する揮発性物質散布器９０は、ＰＣＴ国際公開番号ＷＯ００／７８１３５Ａ２において十分に示され、記載されており、参照することによって本明細書中に組み込まれる。円柱部品９３（箱詰めされる際にはテープ９５によってまとめられる）は接続スリーブ９４を用いて円柱として組み立てられ、ハンガー支持体９２は、接続スリーブ９４を用いて円柱の上部に組み付けられる。円柱は、基面に挿入されてもよく、その際は、揮発性物質散布器はハンガー９１によってハンガー支持部９２から吊り下げられる。展示用ボックス１５が本体及び移動可能な伸延支持部を有する他の品物を保持するのにも適していることは理解されるべきである。
【００２４】
吊り下げ型蚊取りランタン組立体の部品を展示用ボックス１５内に梱包するための工程は、図１３〜１６においてもっともわかりやすく示される。図１３において、（テープ９５によって一つにまとめられる）円柱部品９３一組は、ボックス１５の逆折りパネル３０の後の垂直の通路５５内に方向Ａの移動によって配置される。ある種の品物を梱包するときは、このステップは品物の部品の数に応じて省略されてもよい。次に、図１４に示されるように、湾曲伸延ハンガー支持部９２は、揮発性物質散布器（又はランプ）９０の付属ハンガー９１を支持して示され、ボックス１５の逆折りパネル３０の後に形成された垂直の通路５５内へと方向Ｂの移動によって配置される。ハンガー支持部９２は、ハンガー支持部９２の一部分が逆折りパネル３０の上端３９l、３９ｒの上に位置するか又は載置するように、垂直の通路５５内に配置される。ハンガー支持部９２は、逆折りパネル３０の上端３９ｌ、３９ｒの切り欠き部４９上に載置されるか、又はその上方に位置することが好ましい。
【００２５】
その後、揮発性物質散布器（又はランプ）９０は、図１５に示されるように、方向Ｃの移動によってボックス１５の展示用開口７０内へと配置される。次に、使用者は、図１６に示されるように、揮発性物質散布器９０に力Ｆ3を加え、及び／又は、逆折りパネル３０に力Ｆ1、Ｆ2を加える。その結果、逆折りパネル３０はボックス１５内の内部空間に押し戻され、逆折りされて、図１６に示されるようにボックス１５内での最終的な配置へと揮発性物質散布器９０の上部を移動させる。左保持タブ３２及び右保持タブ３４は自動的に下方向に跳ね戻って、揮発性物質散布器９０の上部を内側で止めて揮発性物資散布器９０をボックス１５内部に固定する。一つの例示的な配置においては、逆折りパネル３０は、好ましくは（図１（Ａ）に示される）折目２６、３５、４３において曲げられた状態にとどまってもよく、これによって、折目２６及び３５間の逆折りパネル３０部分は全体として連続的で平滑な湾曲表面を形成する。
【００２６】
吊り下げ型蚊取りランタン組立体が展示用ボックス１５内に梱包された後、ボックスと吊り下げ型蚊取りランタン組立体は図１７から１９に示されるように配置される。逆折りパネル３０が第一のパネル２０によって形成される第一の平面及び右パネル４０によって形成される第二の平面から後退するように配置されているのが見てとれる。ハンガー支持部９２は、逆折りパネルの上端３９ｌ、３９ｒの上に位置するように又は載置するように、好ましくは逆折りパネル３０の上端３９ｌ、３９ｒの切り欠き部４９上又はその上方に位置するように配置される。吊り下げ型蚊取りランタン組立体は、少なくとも揮発性物質散布器９０の一部分がボックス１５の展示用開口９０を通して展示されるように、ボックス１５の内部空間に収納される。好ましくは逆折りパネル３０の左保持タブ３２及び右保持タブの両方が図１８及び１９に示されるように揮発性物質散布器９０の上部分１１２に接触し、好ましくは両方が揮発性物質散布器９０の上部の背面リップ１１１に接触して、上下動又は前後動のいずれにも抗して揮発性物質散布器９０をボックス１５に固定する。
【００２７】
本発明に基づく展示用ボックスが、品物、特に移動可能な伸延支持部から下垂する本体を有する品物を梱包する際の費用において有利な点は理解されよう。展示用ボックスは、梱包組み立て工程に送付されて、図９に示されるように全ての接合部及び端部が完全に組み立てられて糊付けされてもよい。この「予備組み立て」構成においては、逆折りパネルは、初期の曲げられていない位置にある。次に、上記に詳述されたステップに基づいて一人の作業者が品物をボックスに梱包する。従来のボックスを用いるときには、このような品物を従来的なボックスに梱包するためには多数の取り扱いステップと多数の作業者が必要とされていた。従来的なボックスは端部から品物を挿入するために開く端部パネルを有し、その後、これらの端部パネルは閉じられて、品物を保持するためにしっかりと留められる必要がある。本発明に基づく展示用ボックスを用いる際は、より少ないステップとより少ない作業者で梱包工程が完了する。
【００２８】
本発明はある実施例に関して説明されてきたが、本発明は説明された実施例以外の実施例によって実施されてもよい。説明された実施例は、説明の目的のために示されたものであってこれに制限されるものではない。したがって、ここに付属する特許請求範囲は本明細書中に記された実施例の説明に制限されるものではない。
【産業上の利用可能性】
【００２９】
本発明は、小売店において販売される品物を収納し展示するためのボックス及びボックスを用いて品物を梱包する工程に関する。
【図面の簡単な説明】
【００３０】
【図１（Ａ）】図１（Ａ）は、本発明に基づく展示用ボックスを形成するために、裁断され、折目をつけられて組み立てられる、ボール紙のようなボックス材料の平坦なシートを示す平面図である。
【図１（Ｂ）】図１（Ｂ）は、本発明に基づく他の展示用ボックスを形成するために、裁断され、折目をつけられて組み立てられる、ボール紙のようなボックス材料の平坦なシートを示す平面図である。
【図２】図２は、図１（Ａ）に示されるボックス材料のシートから作成される本発明に基づく展示用ボックスの、上部から一側面にかけての正面斜視図であって、ボックスは内部に押し込まれる逆折りパネルを備える。
【図３】図３は、図２のボックスの右側面立面図である。
【図４】図４は、図２のボックスの上面図である。
【図５】図５は、図２のボックスの正面図である。
【図６】図６は、図２のボックスの背面図である。
【図７】図７は、図２のボックスの左側面立面図である。
【図７（Ｂ）】図７（Ｂ）は、図１（Ｂ）に示される生地から形成される、本発明に基づく他の展示用ボックスの左側面立面図である。
【図８】図８は、図２のボックスの底面図である。
【図９】図９は、図２の展示用ボックスの、上部から一側面にかけての正面斜視図であって、逆折りパネルは外側に引き出されている。
【図１０】図１０は、図９のボックスの右側面立面図である。
【図１１】図１１は、図９のボックスの上面図である。
【図１２】図１２は、図９のボックスの正面図である。
【図１３】図１３は、製品の第一の要素が収納される、本発明に基づく展示用ボックスの上部から一側面にかけての正面斜視図である。
【図１４】図１４は、製品の第二の要素が収納される、本発明に基づく展示用ボックスの上部から一側面にかけての正面斜視図である。
【図１５】図１５は、製品の第二の要素がさらに収納される、本発明に基づく展示用ボックスの上部から一側面にかけての正面斜視図である。
【図１６】図１６は、製品が収納された、本発明に基づく展示用ボックスの上部から一側面にかけての正面斜視図である。
【図１７】図１７は、梱包した製品を内部に有する、本発明に基づく展示用ボックスの上部から一側面にかけての正面斜視図である。
【図１８】図１８は、図１７の線１８−１８に沿った断面図である。
【図１９】図１９は、図１７の線１９−１９に沿った断面図である。
【国際公開パンフレット】
2005505475.tif 000003
2005505475.tif 000004
2005505475.tif 000005
2005505475.tif 000006
2005505475.tif 000007
2005505475.tif 000008
2005505475.tif 000009
2005505475.tif 000010
2005505475.tif 000011
2005505475.tif 000012
2005505475.tif 000013
2005505475.tif 000014
2005505475.tif 000015
2005505475.tif 000016
2005505475.tif 000017
2005505475.tif 000018
2005505475.tif 000019
2005505475.tif 000020
2005505475.tif 000021
2005505475.tif 000022
2005505475.tif 000023
2005505475.tif 000024
2005505475.tif 000025
【国際公開パンフレット（コレクトバージョン）】
2005505475.tif 000026
2005505475.tif 000027
【国際調査報告】
2005505475.tif 000028
2005505475.tif 000029
2005505475.tif 000030
2005505475.tif 000031
2005505475.tif 000032
2005505475.tif 000033